【事件の表示】
　特許第２８５１５９３号「中空の粒子およびＣ１６−Ｃ１８のアルコールとＣ４−Ｃ１０の酸とのモノエステルを含有する化粧品組成物」の請求項に係る特許に対する特許異議の申立てについて、次のとおり決定する。
【結　論】
　訂正を認める。
　本件特許異議の申立てを却下する。
【理　由】
１．手続の経緯
　本件特許第２８５１５９３号発明は、平成８年１０月２４日（パリ条約による優先権主張１９９５年１０月２５日、フランス国）に特許出願され、平成１０年１１月１３日にその特許の設定登録がなされ、その後、矢辺ゆり子より特許異議申立がなされ、当審より取消理由通知がなされ、その指定期間内である平成１２年２月８日に訂正請求（後日取下）がなされた後、訂正拒絶理由通知と取消理由通知がなされ、その指定期間内である平成１２年９月８日に訂正請求（後日取下）がなされた後、さらに取消理由通知がなされ、その指定期間内である平成１２年１０月１９日に訂正請求がなされたものである。　
　　
２．訂正の適否についての判断
(a)訂正の内容
訂正事項ａ
「【請求項１】（ａ）Ｃ１６−Ｃ１８の脂肪アルコールとＣ４−Ｃ１０の脂肪酸との少なくとも１つのモノエステルと、（ｂ）１μｍ〜３００μｍの範囲内の平均粒子径を示す中空の粒子を含有することを特徴とする頭皮および皮膚用の化粧品組成物。
【請求項２】（ａ）Ｃ１６−Ｃ１８の脂肪アルコールとＣ４−Ｃ１０の脂肪酸との少なくとも１つのモノエステルと、（ｂ）１μｍ〜１５０μｍの範囲内の平均粒子径を示す中空の粒子を付加的に含有することを特徴とする水溶性の石鹸を含有するタイプのシェービング組成物。
【請求項３】前記モノエステル、すなわち化合物（ａ）が、ヘプタン酸ステアリル、オクタン酸ステアリル、またはそれらの混合物から選択されることを特徴とする請求項１または２に記載の組成物。
【請求項４】前記モノエステルが、ヘプタン酸ステアリル／オクタン酸ステアリルの混合物であることを特徴とする請求項１ないし３のいずれか１項に記載の組成物。
【請求項５】前記中空の粒子、すなわち化合物（ｂ）が、熱可塑性の物質から形成されるものであることを特徴とする請求項１ないし４のいずれか１項に記載の組成物。
【請求項６】中空の粒子が、ナイロン、もしくは、アクリルまたはスチレンモノマー、および／またはアクリロニトリル、塩化ビニリデンのコポリマーおよびポリマーから選択される物質から作製されることを特徴とする請求項１ないし５のいずれか１項に記載の組成物。
【請求項７】中空の粒子が、アクリルまたはスチレンモノマー、および／またはアクリロニトリル、塩化ビニリデンの膨張したコポリマーから選択される物質から作製されることを特徴とする請求項１ないし６のいずれか１項に記載の組成物。
【請求項８】前記中空の粒子が、１０μｍ〜１００μｍの範囲内の平均粒子径を示すものであることを特徴とする請求項１ないし７のいずれか１項に記載の組成物。
【請求項９】 ステアリン酸、またはミリスチン酸、またはパルミチン酸、またはこれらの酸の混合物の塩から選択される石鹸を含有することを特徴とする請求項１ないし８のいずれか１項に記載の組成物。
【請求項１０】前記エステルが、組成物の全重量に対して０.１〜５重量％の範囲内の濃度で存在することを特徴とする請求項１ないし９のいずれか１項に記載の組成物。
【請求項１１】前記エステルが、組成物の全重量に対して１.５〜３重量％の範囲内の濃度で存在することを特徴とする請求項１０に記載の組成物。
【請求項１２】前記中空の粒子が、組成物の全重量に対して０.００５〜５重量％の範囲内の濃度で存在することを特徴とする請求項１ないし１１のいずれか１項に記載の組成物。
【請求項１３】前記中空の粒子が、組成物の全重量に対して０.０１〜２重量％の範囲内の濃度で存在することを特徴とする請求項１２に記載の組成物。
【請求項１４】固体または液体石鹸、クリーム、ゲル、またはフォームの形態で提供されることを特徴とする請求項１ないし１３のいずれか１項に記載の組成物。
【請求項１５】ブタン、ペンタン、ヘキサンおよびそれらの混合物からなるグループから選択される揮発性の遅起泡剤をさらに含有する遅起泡効果を有する水性のシェービングゲルであることを特徴とする請求項１ないし１４のいずれか１項に記載の組成物。
【請求項１６】前記揮発性の遅起泡剤が、イソペンタンとイソブタンの混合物であることを特徴とする請求項１５に記載の組成物。
【請求項１７】前記遅起泡剤が、組成物の全重量に対して０.５〜１０重量％の範囲内の濃度で存在することを特徴とする請求項１５または１６に記載の組成物。
【請求項１８】前記遅起泡剤が、組成物の全重量に対して２〜５重量％の範囲内の濃度で存在することを特徴とする請求項１７に記載の組成物。
【請求項１９】エアゾールの形態において、加圧された状態で提供されることを特徴とする請求項１ないし１８のいずれか１項に記載の組成物。
【請求項２０】体毛のシェービング用組成物である請求項１ないし１９のいずれか１項に記載の組成物。
【請求項２１】脱臭用化粧品組成物である請求項１ないし１４のいずれか１項に記載の組成物。」を
「【請求項１】（ａ）Ｃ１６−Ｃ１８の脂肪アルコールとＣ４−Ｃ１０の脂肪酸との少なくとも１つのモノエステルと、（ｂ）１μｍ〜１５０μｍの範囲内の平均粒子径を示す中空の粒子を付加的に含有することを特徴とする水溶性の石鹸を含有するタイプのシェービング組成物。
【請求項２】前記モノエステル、すなわち化合物（ａ）が、ヘプタン酸ステアリル、オクタン酸ステアリル、またはそれらの混合物から選択されることを特徴とする請求項１に記載の組成物。
【請求項３】前記モノエステルが、ヘプタン酸ステアリル／オクタン酸ステアリルの混合物であることを特徴とする請求項１又は２に記載の組成物。
【請求項４】前記中空の粒子、すなわち化合物（ｂ）が、熱可塑性の物質から形成されるものであることを特徴とする請求項１ないし３のいずれか１項に記載の組成物。
【請求項５】中空の粒子が、ナイロン、もしくは、アクリルまたはスチレンモノマー、および／またはアクリロニトリル、塩化ビニリデンのコポリマーおよびポリマーから選択される物質から作製されることを特徴とする請求項１ないし４のいずれか１項に記載の組成物。
【請求項６】中空の粒子が、アクリルまたはスチレンモノマー、および／またはアクリロニトリル、塩化ビニリデンの膨張したコポリマーから選択される物質から作製されることを特徴とする請求項１ないし５のいずれか１項に記載の組成物。
【請求項７】前記中空の粒子が、１０μｍ〜１００μｍの範囲内の平均粒子径を示すものであることを特徴とする請求項１ないし６のいずれか１項に記載の組成物。
【請求項８】ステアリン酸、またはミリスチン酸、またはパルミチン酸、またはこれらの酸の混合物の塩から選択される石鹸を含有することを特徴とする請求項１ないし７のいずれか１項に記載の組成物。
【請求項９】前記エステルが、組成物の全重量に対して０.１〜５重量％の範囲内の濃度で存在することを特徴とする請求項１ないし８のいずれか１項に記載の組成物。
【請求項１０】前記エステルが、組成物の全重量に対して１.５〜３重量％の範囲内の濃度で存在することを特徴とする請求項９に記載の組成物。
【請求項１１】前記中空の粒子が、組成物の全重量に対して０.００５〜５重量％の範囲内の濃度で存在することを特徴とする請求項１ないし１０のいずれか１項に記載の組成物。
【請求項１２】前記中空の粒子が、組成物の全重量に対して０.０１〜２重量％の範囲内の濃度で存在することを特徴とする請求項１１に記載の組成物。
【請求項１３】 固体または液体石鹸、クリーム、ゲル、またはフォームの形態で提供されることを特徴とする請求項１ないし１２のいずれか１項に記載の組成物。
【請求項１４】ブタン、ペンタン、ヘキサンおよびそれらの混合物からなるグループから選択される揮発性の遅起泡剤をさらに含有する遅起泡効果を有する水性のシェービングゲルであることを特徴とする請求項１ないし１３のいずれか１項に記載の組成物。
【請求項１５】前記揮発性の遅起泡剤が、イソペンタンとイソブタンの混合物であることを特徴とする請求項１４に記載の組成物。
【請求項１６】前記遅起泡剤が、組成物の全重量に対して０.５〜１０重量％の範囲内の濃度で存在することを特徴とする請求項１４または１５に記載の組成物。
【請求項１７】前記遅起泡剤が、組成物の全重量に対して２〜５重量％の範囲内の濃度で存在することを特徴とする請求項１６に記載の組成物。
【請求項１８】エアゾールの形態において、加圧された状態で提供されることを特徴とする請求項１ないし１７のいずれか１項に記載の組成物。
【請求項１９】体毛のシェービング用組成物である請求項１ないし１８のいずれか１項に記載の組成物。
【請求項２０】（ａ）Ｃ１６−Ｃ１８の脂肪アルコールとＣ４−Ｃ１０の脂肪酸との少なくとも１つのモノエステルと、（ｂ）１μｍ〜１５０μｍの範囲内の平均粒子径を示す中空の粒子を含有することを特徴とする脱臭用化粧品組成物。」と訂正するものである。
(b)訂正の目的の適否、拡張・変更の存否、及び新規事項の追加の有無　
　上記訂正事項ａは、請求項１を削除して、請求項２を請求項１とするもの、請求項１を引用していた請求項２１の記載を削除した請求項１の内容を記載したもの、及び訂正に伴って、請求項の番号を整合させるものであるから、特許請求の範囲の減縮に該当するか、又は明りょうでない記載の釈明に該当する。
　また、これらの訂正は、実質上特許請求の範囲を拡張し、または変更するものでもない。
　　
(c)独立特許要件
（ア）本件訂正後の特許発明
　訂正後の請求項１〜２０に係る発明は、訂正後の特許請求の範囲に記載されたとおりのものと認められる。
（イ）刊行物に記載の発明
　特開平３−４７１１０号公報（特許異議申立人が提出した甲第１号証）には、平均粒径が１０〜１００μであり、かつ見かけ比重が０.１以下である中空発泡樹脂球体を含有することを特徴とする化粧料（特許請求の範囲）が記載され、これは、中空発泡樹脂球体を配合することにより、使用時の延展性がよく、ソフトな感触を有し、化粧後の肌への負担感がなく、仕上がり状態が良好で、ケーキング現象がない等の効果を有する化粧が得られる（２頁左上〜右上欄）ものであること、化粧料は特に限定されないが、配合効果を期待する上で化粧料用粉体を必要とする固形状、ペースト状、液状のメーキャップ化粧料が好ましく、具体的にはファンデーション、ほほ紅、白粉、アイシャドウ等があげられる（２頁右下欄）こと、実施例５に中空発泡樹脂球体と２−エチルヘキセン酸セチルを含有するスティック状口紅がが記載されている。
　特開平６−９３３４号公報（甲第２号証）には、水をベースとする組成物の乳白剤および乳白方法に関する発明が記載され、その組成物の成分について「真珠色化シャンプー組成物に有用なＣ６〜Ｃ１２カルボン酸の脂肪（Ｃ１２〜Ｃ２２）エステルは限定されないが、セチルオクタノエート、…およびオレイルオクタノエート、またはその混合物を含む」（１１頁１９欄、１７〜２３行）ことが記載され、甲第３号証（International Cosmetic Ingredient Dictionary, Fifth Edition, p110, p716）には、セチルオクタノエートはセチルアルコールと２−エチルヘキセン酸のエステルであり、セチル　２−エチルヘキサノエートとも呼ばれることが示されている。
　　　　
（ウ）対比・判断
（ｉ）訂正後の請求項１に係る発明について
　訂正後の請求項１に係る発明と甲第１号証に記載のものを対比すると、シェービング組成物は化粧料であるといえること、及び２−エチルヘキセン酸セチルは炭素数８の２−エチルヘキサン酸と炭素数１６のセチルアルコールのエステルであること（甲第３号証）から、両者は、Ｃ１６の脂肪アルコールとＣ８の脂肪酸との少なくとも１つのモノエステルと、１０μｍ〜１００μｍの範囲内の平均粒子径を示す中空の粒子を含有する化粧料である点で一致し、化粧料として、前者はさらに水溶性の石鹸を含有するシェービング組成物であるのに対して、後者はメーキャップ化粧料について記載されている点で相違する。
　そこで、この相違点について検討する。
　甲第２号証には、上記エステルがシャンプー等の化粧料に配合する成分であることを示すにとどまり、シェービング組成物に配合することは記載されてなく、また、中空粒子と共に配合することも記載されていない。
　また、一般に、シェービング組成物はひげ等をそるときに肌をかみそりの刺激等から保護するために用いるものであるから、ファンデーションや口紅等のメーキャップ化粧料やシャンプーとはその使用目的において明らかに異なるものである。
　そうすると、請求項１に係る発明は、甲第１号証に記載の組成物にさらに水溶性の石鹸を含有することによって、遅起泡性を有する（【００１０】）というシェービング組成物に特有の効果を奏するものであるから、甲第１号証に記載の化粧料に甲第２〜３号証に記載の事項を組合わせてシェービング組成物とすることを当業者が容易に想到できるものとは認められない。
　　　　
（ii）請求項２〜１９に係る発明について
　請求項２〜１９に係る発明は、請求項１に係る発明をさらに技術的に限定したものであるから、甲第１〜３号証に記載された発明に基づいて当業者が容易に発明をすることができたものとは認められない。
　　　　
（iii）請求項２０に係る発明について
　請求項２０に係る発明は、脱臭用化粧品組成物であり、甲第１〜３号証には、脱臭用化粧品については何ら記載されてなく、これらの記載に基づいて脱臭用化粧品とすることを当業者が容易に想到できるものとも認められない。
　
　また、他に、独立して特許を受けることができない理由を発見しない。
　したがって、訂正後の請求項１〜２０に係る発明は、出願の際独立して特許を受けることができるものである。
　以上のとおりであるから、上記訂正請求は、特許法第１２０条の４第２項及び同条第３項で準用する第１２６条第２〜４項の規定に適合するので、当該訂正を認める。
３．特許異議申立についての判断　
　特許異議申立人は、本件請求項１、３〜８、及び１０〜１３に係る発明は、特許法第２９条第１項第３号又は同第２９条第２項の規定に違反して特許されたものである旨主張しているが、訂正後の請求項１〜２０は、異議申立の対象でない訂正前の請求項２を請求項１とし、訂正後の請求項１を引用するか、異議申立の対象でない請求項２１を請求項２０としたものであるから、いずれも特許異議申立の対象ではない。
　したがって、本件特許異議申立は異議申立の対象が存在しない。
　よって、結論のとおり決定する。
【異議決定日】
平成１２年１０月３１日（２０００．１０．３１）
【訂正の要旨】
訂正事項ａ
「【請求項１】（ａ）Ｃ１６−Ｃ１８の脂肪アルコールとＣ４−Ｃ１０の脂肪酸との少なくとも１つのモノエステルと、（ｂ）１μｍ〜３００μｍの範囲内の平均粒子径を示す中空の粒子を含有することを特徴とする頭皮および皮膚用の化粧品組成物。
　【請求項２】　（ａ）Ｃ１６−Ｃ１８の脂肪アルコールとＣ４−Ｃ１０の脂肪酸との少なくとも１つのモノエステルと、（ｂ）１μｍ〜１５０μｍの範囲内の平均粒子径を示す中空の粒子を付加的に含有することを特徴とする水溶性の石鹸を含有するタイプのシェービング組成物。
　【請求項３】前記モノエステル、すなわち化合物（ａ）が、ヘプタン酸ステアリル、オクタン酸ステアリル、またはそれらの混合物から選択されることを特徴とする請求項１または２に記載の組成物。
　【請求項４】前記モノエステルが、ヘプタン酸ステアリル／オクタン酸ステアリルの混合物であることを特徴とする請求項１ないし３のいずれか１項に記載の組成物。
　【請求項５】前記中空の粒子、すなわち化合物（ｂ）が、熱可塑性の物質から形成されるものであることを特徴とする請求項１ないし４のいずれか１項に記載の組成物。
　【請求項６】中空の粒子が、ナイロン、もしくは、アクリルまたはスチレンモノマー、および／またはアクリロニトリル、塩化ビニリデンのコポリマーおよびポリマーから選択される物質から作製されることを特徴とする請求項１ないし５のいずれか１項に記載の組成物。
　【請求項７】中空の粒子が、アクリルまたはスチレンモノマー、および／またはアクリロニトリル、塩化ビニリデンの膨張したコポリマーから選択される物質から作製されることを特徴とする請求項１ないし６のいずれか１項に記載の組成物。
　【請求項８】前記中空の粒子が、１０μｍ〜１００μｍの範囲内の平均粒子径を示すものであることを特徴とする請求項１ないし７のいずれか１項に記載の組成物。
　【請求項９】　ステアリン酸、またはミリスチン酸、またはパルミチン酸、またはこれらの酸の混合物の塩から選択される石鹸を含有することを特徴とする請求項１ないし８のいずれか１項に記載の組成物。
　【請求項１０】前記エステルが、組成物の全重量に対して０．１〜５重量％の範囲内の濃度で存在することを特徴とする請求項１ないし９のいずれか１項に記載の組成物。
　【請求項１１】前記エステルが、組成物の全重量に対して１．５〜３重量％の範囲内の濃度で存在することを特徴とする請求項１０に記載の組成物。
　【請求項１２】前記中空の粒子が、組成物の全重量に対して０．００５〜５重量％の範囲内の濃度で存在することを特徴とする請求項１ないし１１のいずれか１項に記載の組成物。
　【請求項１３】前記中空の粒子が、組成物の全重量に対して０．０１〜２重量％の範囲内の濃度で存在することを特徴とする請求項１２に記載の組成物。
　【請求項１４】固体または液体石鹸、クリーム、ゲル、またはフォームの形態で提供されることを特徴とする請求項１ないし１３のいずれか１項に記載の組成物。
　【請求項１５】ブタン、ペンタン、ヘキサンおよびそれらの混合物からなるグループから選択される揮発性の遅起泡剤をさらに含有する遅起泡効果を有する水性のシェービングゲルであることを特徴とする請求項１ないし１４のいずれか１項に記載の組成物。
　【請求項１６】前記揮発性の遅起泡剤が、イソペンタンとイソブタンの混合物であることを特徴とする請求項１５に記載の組成物。
　【請求項１７】前記遅起泡剤が、組成物の全重量に対して０．５〜１０重量％の範囲内の濃度で存在することを特徴とする請求項１５または１６に記載の組成物。
　【請求項１８】前記遅起泡剤が、組成物の全重量に対して２〜５重量％の範囲内の濃度で存在することを特徴とする請求項１７に記載の組成物。
　【請求項１９】エアゾールの形態において、加圧された状態で提供されることを特徴とする請求項１ないし１８のいずれか１項に記載の組成物。
　【請求項２０】体毛のシェービング用組成物である請求項１ないし１９のいずれか１項に記載の組成物。
　【請求項２１】脱臭用化粧品組成物である請求項１ないし１４のいずれか１項に記載の組成物。」を
「【請求項１】（ａ）Ｃ１６−Ｃ１８の脂肪アルコールとＣ４−Ｃ１０の脂肪酸との少なくとも１つのモノエステルと、（ｂ）１μｍ〜１５０μｍの範囲内の平均粒子径を示す中空の粒子を付加的に含有することを特徴とする水溶性の石鹸を含有するタイプのシェービング組成物。
　【請求項２】前記モノエステル、すなわち化合物（ａ）が、ヘプタン酸ステアリル、オクタン酸ステアリル、またはそれらの混合物から選択されることを特徴とする請求項１に記載の組成物。
　【請求項３】前記モノエステルが、ヘプタン酸ステアリル／オクタン酸ステアリルの混合物であることを特徴とする請求項１又は２に記載の組成物。
　【請求項４】前記中空の粒子、すなわち化合物（ｂ）が、熱可塑性の物質から形成されるものであることを特徴とする請求項１ないし３のいずれか１項に記載の組成物。
　【請求項５】中空の粒子が、ナイロン、もしくは、アクリルまたはスチレンモノマー、および／またはアクリロニトリル、塩化ビニリデンのコポリマーおよびポリマーから選択される物質から作製されることを特徴とする請求項１ないし４のいずれか１項に記載の組成物。
　【請求項６】中空の粒子が、アクリルまたはスチレンモノマー、および／またはアクリロニトリル、塩化ビニリデンの膨張したコポリマーから選択される物質から作製されることを特徴とする請求項１ないし５のいずれか１項に記載の組成物。
　【請求項７】前記中空の粒子が、１０μｍ〜１００μｍの範囲内の平均粒子径を示すものであることを特徴とする請求項１ないし６のいずれか１項に記載の組成物。
　【請求項８】ステアリン酸、またはミリスチン酸、またはパルミチン酸、またはこれらの酸の混合物の塩から選択される石鹸を含有することを特徴とする請求項１ないし７のいずれか１項に記載の組成物。
　【請求項９】前記エステルが、組成物の全重量に対して０．１〜５重量％の範囲内の濃度で存在することを特徴とする請求項１ないし８のいずれか１項に記載の組成物。
　【請求項１０】前記エステルが、組成物の全重量に対して１．５〜３重量％の範囲内の濃度で存在することを特徴とする請求項９に記載の組成物。
　【請求項１１】前記中空の粒子が、組成物の全重量に対して０．００５〜５重量％の範囲内の濃度で存在することを特徴とする請求項１ないし１０のいずれか１項に記載の組成物。
　【請求項１２】前記中空の粒子が、組成物の全重量に対して０．０１〜２重量％の範囲内の濃度で存在することを特徴とする請求項１１に記載の組成物。
　【請求項１３】　固体または液体石鹸、クリーム、ゲル、またはフォームの形態で提供されることを特徴とする請求項１ないし１２のいずれか１項に記載の組成物。
　【請求項１４】ブタン、ペンタン、ヘキサンおよびそれらの混合物からなるグループから選択される揮発性の遅起泡剤をさらに含有する遅起泡効果を有する水性のシェービングゲルであることを特徴とする請求項１ないし１３のいずれか１項に記載の組成物。
　【請求項１５】前記揮発性の遅起泡剤が、イソペンタンとイソブタンの混合物であることを特徴とする請求項１４に記載の組成物。
　【請求項１６】前記遅起泡剤が、組成物の全重量に対して０．５〜１０重量％の範囲内の濃度で存在することを特徴とする請求項１４または１５に記載の組成物。
　【請求項１７】前記遅起泡剤が、組成物の全重量に対して２〜５重量％の範囲内の濃度で存在することを特徴とする請求項１６に記載の組成物。
　【請求項１８】エアゾールの形態において、加圧された状態で提供されることを特徴とする請求項１ないし１７のいずれか１項に記載の組成物。
　【請求項１９】体毛のシェービング用組成物である請求項１ないし１８のいずれか１項に記載の組成物。
　【請求項２０】（ａ）Ｃ１６−Ｃ１８の脂肪アルコールとＣ４−Ｃ１０の脂肪酸との少なくとも１つのモノエステルと、（ｂ）１μｍ〜１５０μｍの範囲内の平均粒子径を示す中空の粒子を含有することを特徴とする脱臭用化粧品組成物。」と訂正するものである。
（５４）【発明の名称】
中空の粒子およびＣ１６−Ｃ１８のアルコールとＣ４−Ｃ１０の酸とのモノエステルを含有する化粧品組成物
（５７）【特許請求の範囲】
　　【請求項
１
　　【請求項
２
１
　　【請求項
３
又は２
　　【請求項
４
３
　　【請求項
５
　　【請求項
６
５
　　【請求項
７
６
　　【請求項
８
７
　　【請求項
９
８
　　【請求項
１０
９
　　【請求項
１１
１０
　　【請求項
１２
１１
　　【請求項
１３
１２
　　【請求項
１４
１３
　　【請求項
１５
１４
　　【請求項
１６
１４
１５
　　【請求項
１７
１６
　　【請求項
１８
１７
　　【請求項
１９
１８
　　【請求項
２０
（ａ）Ｃ１６−Ｃ１８の脂肪アルコールとＣ４−Ｃ１０の脂肪酸との少なくとも１つのモノエステルと、（ｂ）１μｍ〜１５０μｍの範囲内の平均粒子径を示す中空の粒子を含有することを特徴とする脱臭用化粧品組成物。
【発明の詳細な説明】
　　　【０００１】
　　【発明の属する技術分野】
　本発明は、頭皮を含む皮膚用の新規な化粧品組成物に係り、より詳しくは、（ａ）Ｃ１６−Ｃ１８の脂肪アルコールとＣ４−Ｃ１０の脂肪酸とのモノエステルである、少なくとも１つの特定のエステルと、（ｂ）１μｍ〜３００μｍの範囲内の平均粒子径を示す中空の粒子を含有する、脱臭剤または洗顔剤（スクラブ洗顔剤）としても使用可能なシェービング用の化粧品組成物に関する。
　　　【０００２】
　　【従来の技術および発明が解決しようとする課題】
　美的または衛生的な理由により、体毛を除去するために、男性が使用する製品として、パウダー状、棒状または固形物の形態のシェービング石鹸から、シェービングクリーム類およびフォーム類、および水性のシェービングゲルまで、種々のものがよく知られている［この点に関し、マイソン　ジー．デ　ナヴァレ（Ｍａｉｓｏｎ　Ｇ．ｄｅ　Ｎａｖａｒｒｅ）の「化粧品の化学と製造（Ｔｈｅ　Ｃｈｅｍｉｓｔｒｙ　ａｎｄ　Ｍａｎｕｆａｃｔｕｒｅ　ｏｆ　Ｃｏｓｍｅｔｉｃｓ）」（第２版、１９７５、第ＩＶ巻、第６４章、１３１３−１３４１頁）の著作にて刊行されている、ロバート　イー．　ソテー（Ｒｏｂｅｒｔ　Ｅ．Ｓａｕｔｅ）による「シェービング調製物−シェービングの起源と販売傾向」と題された論文を参照すべきである］。
　　　【０００３】
　従来のシェービングゲル類に加えて、遅起泡性（ｄｅｌａｙｅｄ　ｆｏａｍｉｎｇ）の（すなわち、遅起泡効果を有する）シェービングゲル類は、既に公知であり、さらに詳しくは、多くの特許、例えば、米国特許第３５４１５８１号、米国特許第４４０５４８９号および仏国特許第２５９５９４３号に記載されている。
　　　【０００４】
　遅起泡効果（ｄｅｌａｙｅｄ　ｆｏａｍ　ｅｆｆｅｃｔ）を有するこれらのゲル類は、一般的に、加圧下にてエアゾール装置に包装された組成物類であり、該エアゾール装置は、噴霧剤の効果のもと、静的状態下では発泡しないが、製品の皮膚上への展伸による機械的作用により、自発的に、事実上瞬時に皮膚上で発泡するゲル類を移送する。
　　　【０００５】
　遅起泡性のシェービングゲル類は、多くの特性を有していなければならず、そのために開発が特に困難である。
　　　【０００６】
　まず、手にとられるゲル類は、適切なレオロジー（堅さ、粘凋性あるいはコンシステンシー）を示さなければならない。さらに、顔の皮膚上に広げた場合に、このゲルは、非常に迅速に発泡しなければならず、泡そのものが堅い泡の小蓄積部を生じさせないで所望の容量を達成できるものでなければならない。最後に、ゲルより生じる泡は、良好な化粧品特性、例えば、皮膚上において、流れ易くなく、および／または皮膚に粘着感を付与することなく、柔軟性、潤いを付与するものでなければならない。
　　　【０００７】
　残念なことに、従来の遅起泡性のシェービングゲル組成物類は、これらの条件の全てを満たすものではなかった。
　　　【０００８】
　このようなゲル類の安定性を増加させ、使用を容易にするために、それらに、エトキシル化された脂肪アルコール類、またはＣ１２−Ｃ１８の脂肪酸類のアルカノールアミド類、またはプロピレングリコール＝ジペラルゴナートを混合することが既に提案されている。しかしながら、得られたゲル類は、上述した全ての特性を有するものではなく、未だ、完全に満足のいくものは見出されていない。
　　　【０００９】
　また、上述した欠点は、他のタイプのゲル類、シェービングフォーム類、洗顔剤および脱臭剤についてもしかりである。
　　　【００１０】
　本発明の目的は、化粧品組成物類、特に、シェービング組成物類、さらには、改善された特性を示し、遅起泡性を有する、シェービングゲル類、およびシェービングクリーム類およびフォーム類を提供することである。
　　　【００１１】
　　【課題を解決するための手段および発明の実施の形態】
　この問題に関し、多くの研究を行った結果、本出願人は、予期しないことに、また驚くべきことに、皮膚用の化粧品組成物に、Ｃ１６−Ｃ１８の脂肪アルコールとＣ４−Ｃ１０の脂肪酸とのモノエステル、および１μｍ〜３００μｍの範囲内の平均粒子径を示す中空の粒子類を添加することにより、改善された性能および／または特性、さらには、上述した必要とされる全ての特徴を示す組成物、特に、シェービング組成物を得ることができることを見出した。
　　　【００１２】
　この発見が、本発明の基礎となる。
　　　【００１３】
　よって、本発明の主題は、（ａ）Ｃ１６−Ｃ１８の脂肪アルコールとＣ４−Ｃ１０の脂肪酸との少なくとも１つのモノエステルと、（ｂ）１μｍ〜３００μｍの範囲内の平均粒子径を示す中空の粒子を含有することを特徴とする、頭皮を含む皮膚用の新規の化粧品組成物にある。
　　　【００１４】
　本発明の他の主題は、（ａ）Ｃ１６−Ｃ１８の脂肪アルコールとＣ４−Ｃ１０の脂肪酸との少なくとも１つのモノエステルと、（ｂ）１μｍ〜１５０μｍの範囲内の平均粒子径を示す中空の粒子を、付加的に含有することを特徴とする、水溶性の石鹸を含有するタイプのシェービング組成物にある。
　　　【００１５】
　また、本発明は、上述したシェービング組成物を、ヒトまたは動物の皮膚に存在する体毛のシェービング用に使用することを目的とするものである。さらに、このような組成物自体、または脱臭用化粧品組成物の製造に使用することを目的とするものである。
　　　【００１６】
　本発明で使用されうるＣ１６−Ｃ１８の脂肪アルコール類とＣ４−Ｃ１０の脂肪酸類とのモノエステル（類）は、好ましくは、Ｃ４−Ｃ１０の直鎖状または分枝状の飽和脂肪酸類とＣ１６−Ｃ１８の直鎖状の飽和脂肪アルコール類とのモノエステル類から選択される。
　　　【００１７】
　本発明において、特に好ましい、このタイプのモノエステル類は、ヘプタン酸とステアリルアルコールとのエステル（すなわち、ヘプタン酸ステアリル）、オクタン酸とステアリルアルコールとのエステル（すなわち、オクタン酸ステアリル）、またはヘプタン酸ステアリル／オクタン酸ステアリルの混合物類、特に、例えば、デュブソリド（Ｄｕｂ　Ｓｏｌｉｄｅ）の商品名でステアリネリーズデュボイス（Ｓｔｅａｒｉｎｅｒｉｅｓ　Ｄｕｂｏｉｓ）社から、またはクロダモール（Ｃｒｏｄａｍｏｌ）　Ｗの商品名でクロダ（Ｃｒｏｄａ）社から販売されている、ヘプタン酸ステアリル（６７％）／オクタン酸ステアリル（３３％）の混合物である。
　　　【００１８】
　本発明で使用可能な中空の粒子類は、有利には、５μｍ〜２００μｍ、好ましくは１０μｍ〜１００μｍ、さらに好ましくは５０μｍ〜６０μｍの範囲内の平均粒子径を示すものである。特定のケースのシェービング組成物においては、粒子径は、１〜１５０μｍ、好ましくは１０〜１００μｍ、さらに好ましくは１５〜６０μｍから選択される。
　　　【００１９】
　粒子類は、有利には、熱可塑性の物質類、例えば、ポリアミド類、例えば、ナイロン、もしくは、アクリルまたはスチレンモノマー、および／または塩化ビニル、塩化ビニリデン、アクリロニトリルのコポリマー類またはポリマー類からなるものであり、必要に応じて発泡化（ｅｘｐａｎｄｅｄ）されたものである。アクリルモノマーは、例えば、メタクリル酸またはアクリル酸のエチルまたはメチルである。スチレンモノマーは、例えば、α−メチルスチレンまたはスチレンである。
　　　【００２０】
　アトケム（Ａｔｏｃｈｅｍ）社から販売されている「オルガゾル（Ｏｒｇａｓｏｌ）」粒子類は、ナイロン粒子類として使用することができる。これらの粒子類は、５μｍ〜６０μｍの範囲内の直径を有する、固体（ｓｏｌｉｄ）で多孔質の球体である。
　　　【００２１】
　粒子類は、好ましくは、塩化ビニリデンとアクリロニトリルの発泡（ｅｘｐａｎｄｅｄ）コポリマー、または塩化ビニリデン、アクリロニトリルおよびメタクリラートの発泡ターポリマーの中空の粒子類である。例えば、塩化ビニリデンから誘導された単位を０％から６０％、アクリロニトリルから誘導された単位を２０％から９０％、アタリまたはスチレンルモノマーから誘導された単位を０％から５０％を、合計で（重量で）１００％になるように含有するターポリマーを使用することができる。これらの粒子類は、乾燥したものでも水和した状態であってもよく、例えば、ノーベルカスコ（Ｎｏｂｅｌ　Ｃａｓｃｏ）社から、登録商標エクスパンセル（Ｅｘｐａｎｃｅｌ）を付して販売されているもの、特に、商品符号５５１　ＤＥ（粒子径が約５０μｍで密度が約３５ｋｇ／ｍ３）、５５１　ＤＥ　１２（粒子径が約１２μｍで密度が約４０ｋｇ／ｍ３）、５５１　ＤＥ　２０（粒子径が約３０μｍで密度が約６５ｋｇ／ｍ３）、５５１　ＤＥ　５０（粒子径が約４０μｍ）、４６１　ＤＥ　５０および６４２　ＷＥ　５０（粒子径が約５０μｍ）、および５５１　ＤＥ　８０（粒子径が約８０μｍ）である。
　　　【００２２】
　また、約１８μｍの粒子径と約６０〜９０ｋｇ／ｍ３の密度、または約３４μｍの粒子径と約２０ｋｇ／ｍ３の密度を有する、同様のターポリマーの粒子類を使用することができる。
　　　【００２３】
　さらに、発泡していない（ｎｏｎ−ｅｘｐａｎｄｅｄ）塩化ビニリデンとアクリロニトリルのコポリマー、または発泡していない塩化ビニリデン、アクリロニトリルおよびメタクリラートのターポリマーの粒子類、例えば、登録商標エクスパンセルを付して販売されている、５５１　ＤＵ　１０（粒子径が約１０μｍ）、または４６１　ＤＵ　１５（粒子径が約１５μｍ）を使用することもできる。
　　　【００２４】
　またさらに、本発明で使用可能な他の中空の重合体の粒子類としては、エステル類（酢酸ビニルまたは乳酸ビニル）、または酸類（イタコン酸、シトラコン酸、マレイン酸またはフマル酸）から得られるコポリマー類およびポリマー類を挙げることができる（この目的のため、特開平第２−１１２３０４号公報を参照）。
　　　【００２５】
　本発明の他の有利な特徴は、粒子類が、玉（ｂｅａｄｓ）状の形態で提供されることである。しかしながら、繊維状または針状の形態を有する粒子類を使用することもできる。
　　　【００２６】
　本発明において、登録商標エクスパンセルを付して販売されている粒子類は、例えば、欧州特許出願第５６２１９号、欧州特許出願第３４８３７２号、欧州特許出願第４８６０８０号、欧州特許出願第３２０４７３号、欧州特許出願第１１２８０７号、または米国特許出願第３６１５９７２号の方法により得ることができる。原則として、粒子類の内部には、ガスが含有されており、該ガスは、空気、窒素、または炭化水素、例えばイソブタンまたはイソペンタンとすることができる。
　　　【００２７】
　本発明の組成物、特に、シェービング製品類の一部を構成する他の成分は、該出願（これに関して、上述した、ロバート　イー．　ソテーの文献を参照）、より厳密には、遅起泡効果を有するシェービングゲル類（これに関して、欧州特許公開第２５９８４３号、米国特許第３５４１５８１号および仏国特許第２５９５９４３号を参照）において、それ自体、既に公知の製品である。洗浄剤およびスクラブ組成物類は、仏国特許第２７００９５２号公報を参照することができ、脱臭用製品類は、「化粧品の化学と技術集（Ｃｏｓｍｅｔｉｃ　Ｓｃｉｅｎｃｅ　ａｎｄ　Ｔｅｃｈｎｏｌｏｇｙ　Ｓｅｒｉｅｓ）」の１９８８年度版、第７巻の研究を参照することができる。
　　　【００２８】
　水溶性の石鹸は、好ましくは、水溶性の脂肪酸塩である。このような石鹸類は従来よりよく知られ、商業的に取り扱われており、また従来の方法、例えば、トリエタノールアミン、水酸化ナトリウムまたは水酸化カリウムのような塩基を、Ｃ１０〜Ｃ２２の飽和または不飽和脂肪酸、またはこれらの酸の混合物のような脂肪酸と、直接反応させることによって調製することができる。本発明の好ましい石鹸類は、水溶性のステアリン酸塩類、ミリスチン酸塩類およびパルミチン酸塩類を含有するものであり、例えば、市販されているステアリン酸類またはパルミチン酸類の可溶性の石鹸類である。これらの酸類のナトリウム塩およびカリウム塩、およびそれらの混合物は、有利には、シェービング石鹸類、クリーム類およびフォーム類に使用され、特に、シェービングゲル類には、これらの酸類のトリエタノールアミン塩類が好ましい。さらに、ステアリン酸の名称で市販されている製品がステアリン酸とパルミチン酸の混合物であってもよいことはよく知られている。「ステアリン酸塩類」という用語は、市販されているステアリン酸の石鹸類を示すが、また、純粋なステアリン酸の石鹸類を示してもよい。
　　　【００２９】
　遅起泡効果を有するシェービングゲル類として、本発明において特に好ましい水溶性の石鹸は、パルミチン酸トリエタノールアミンである。
　　　【００３０】
　本発明において、水溶性のゲル化ポリマーを、組成物を安定にするため、またはコンシステンシーを所望の値に調節するために使用することができる。それらは、水溶性のヒドロキシアルキルセルロース類、または天然ガム類、例えば、キサンタンガムから選択されうる。ヒドロキシアルキルセルロース類は、アルキルセルロース、およびアルキレンオキシド、例えば、エチレンオキシドまたはプロピレンオキシドから製造される。これらのタイプの製品類は、種々の粘度の、登録商標「クルーセル（Ｋｌｕｃｅｌ）」および「ナトロゾール（Ｎａｔｒｏｓｏｌ）」を付して販売されている。
　本発明において、特に好ましい水溶性のポリマーは、アクアロン（Ａｑｕａｌｏｎ）社から、登録商標「クルーセル　Ｈ」または「クルーセル　ＭＦ」を付して販売されているヒドロキシプロピルセルロース、アクアロン社から、登録商標「ナトロゾール２５０　ＨＨＲ」を付して販売されているヒドロキシエチルセルロース、またはこれら２つのセルロースの混合物である。
　　　【００３１】
　本発明の利点の１つは、皮膚に粘着感を付与するという欠点の原因となる、過度の割合の、セルロースをベースとした増粘剤を使用しないか、その量を減じることができることである。
　　　【００３２】
　遅起泡効果を有するシェービングゲル類において、遅起泡剤は、液体であるか、皮膚温度で揮発または液化するものである。それは、４〜６の炭素原子を含有する飽和脂肪族炭化水素類、例えば、ブタン類、ｎ−ブタンまたはイソブタン、ペンタン類、例えば、ｎ−ペンタンまたはイソペンタン、またはヘキサンを含む。これらの炭水化物類の混合物が、所望の蒸気圧を得るために使用されうる。
　　　【００３３】
　本発明において必要とされる泡の特性を得るため、ゲル圧を調節するが、このために、特に適切な遅起泡剤は、イソペンタン（７５重量％）／イソブタン（２５重量％）の混合物である。
　　　【００３４】
　本発明のシェービング組成物に存在する水は、必要とされる泡の特性に寄与するものであり、また、皮膚を潤し、適切なシェービングを可能にするために使用される。
　　　【００３５】
　本発明のシェービング組成物類において、Ｃ１６−Ｃ１８の脂肪アルコールおよびＣ４−Ｃ１０の脂肪酸からなるモノエステルは、一般的に、（組成物の全重量に対して）約０．１〜５重量％、好ましくは、約１．５〜３重量％の範囲内の濃度で存在し、中空の粒子類は、一般的に、約０．００５〜５重量％、好ましくは、約０．０１〜２重量％の範囲内の濃度で存在し、これは、体積にして、約０．０７％〜１５０％、好ましくは、０．１５％〜６０％の範囲内の濃度に相当する。
　　　【００３６】
　水溶性の石鹸は、一般的に、該出願において、５重量％〜９５重量％の濃度で存在するものであり、固形石鹸類に約９５％、クリーム類に約４０％、ゲル類に約２０％存在する。
　有利には、遅起泡効果を有するゲル類において、石鹸が、約１０〜１５％の範囲内の量で使用されることが好ましい。
　　　【００３７】
　水溶性のゲル化ポリマーは、使用される製品の粘度により、約０〜３重量％、好ましくは、０〜１重量％の範囲内の濃度で存在することができる。
　　　【００３８】
　遅起泡剤（遅起泡性を有するシェービングゲル類の場合）は、一般的に、約０．５〜１０重量％、好ましくは約２〜５重量％の範囲内の濃度で存在する。
　　　【００３９】
　水は、一般的に、固形石鹸類における０重量％から、ゲル類における９０重量％の範囲内の濃度で存在し、好ましくは、ゲル類において、６０〜９０重量％である。
　　　【００４０】
　本発明の組成物類は、選択された用途に対して、特にシェービング用において、化粧品の分野でよく知られている他の成分類または活性物質類を、さらに含有してもよい。例えば、湿潤剤類、例えばグリセロールおよびソルビトール、増粘剤類、例えばアラントインまたはα−ビサボロール（ｂｉｓａｂｏｌｏｌ）、潤滑剤類、例えばシリコーン類またはポリデセン類、過脂肪剤類、例えばラノリンまたはその誘導体類、皮膚軟化剤類、例えばポリエチレングリコール、ポリプロピレングリコール、Ｃ１２／Ｃ１５のアルコール類またはポリエチレングリコールのベンゾアート類、およびステアリン酸グリセロール、不透明化剤、例えば酸化チタン、界面活性剤類、安定化剤類、ビタミン類、溶媒類、染料類、香料類、および防腐剤類を挙げることができる。
　　　【００４１】
　もちろん、当業者であれば、本発明の化粧品組成物に固有の有利な特性が、考えられる添加により、悪影響を受けないか、実質的に受けないように留意して、上述した任意に添加される化合物（類）を選択するであろう。
　　　【００４２】
　本発明のクリーム類およびゲル類は、当業者によく知られている技術で、チューブ類またはエアゾール類、およびエアゾールフォーム類の形態に、特に、遅起泡効果を有するゲル類は、米国特許第３５４１５８１号に記載されている方法で、包装されたものであってよい。
　　　【００４３】
　エアゾール装置類は、１つまたは２つの容器を有するものであってよい。
　　　【００４４】
　二重容器（ｄｏｕｂｌｅ−ｃｏｎｔａｉｎｅｒ）のエアゾール装置類において、噴霧系は、本発明のクリームまたはゲルから分離されている。実際、本発明のゲルまたはクリームは、例えば、二重容器のエアゾールの中央部に入れられ、噴霧剤は、圧縮性のプラスチック膜である隔壁により、中央部と分離している外側の容器に入れられる。このような二重容器の装置において、噴霧系は、凝縮性（ｃｏｎｄｅｎｓａｂｌｅ）ガス、例えば、プロパン、ブタン、イソブタンまたはイソペンタンのような炭化水素、ハロゲン化炭化水素類、またはジメチルエーテル、またはこれらの化合物類の混合物を含有するものであってよい。また、これら凝縮性噴霧剤類と、非凝縮性ガス類、例えば、一酸化二窒素または窒素との混合物を含有してもよい。
　　　【００４５】
　単一容器の装置類において、噴霧系は、本発明のゲルにおいては、不溶性の非凝縮性ガス類のみからなる。
　　　【００４６】
　このようなガスとしては、窒素、アルゴン、ネオン、クリプトン、キセノン、ヘリウム、ラドン、一酸化二窒素、または二酸化炭素が挙げられる。このような装置類は、浸液チューブ（ディップチューブ）を備えており、該チューブの上部に前記噴霧系が入れられる。この場合、本発明の組成物における不溶で非凝縮性の噴霧系がピストンとして作用し、ディップチューブを介して組成物を放出する。
　　　【００４７】
　エアゾール類において、加圧された状態の組成物（すなわち、「ジュース（ｊｕｉｃｅ）」）は、有利には、全組成物の重量の９０〜９８％であり、噴霧系は２〜１０％である。
　　　【００４８】
　　【実施例】
　次に、本発明の実施例を例証するが、これは本発明を限定するものではない。
　　　【００４９】
実施例１
　遅起泡性のシェービングゲルを以下の方法で調製した：
　（ｉ）９６．５ｇの以下の組成物：
パルミチン酸　　　　　　　　　　　　　　　　　　　　　　　　１２．５ｇ
トリエタノールアミン　　　　　　　　　　　　　　　　　　　　　９．２ｇ
グリセロール　　　　　　　　　　　　　　　　　　　　　　　　　３．９ｇ
ヒドロキシプロピルセルロース（アクアロン社のクルーセル　ＭＦ）
　　　　　　　　　　　　　　　　　　　　　　　　　　　　　　　０．１ｇ
ポリエチレングリコール［アメルコール（Ａｍｅｒｃｈｏｌ）のポリオックス（Ｐｏｌｙｏｘ）ＷＳＲ　２０５
　　　　　　　　　　　　　　　　　　　　　　　　　　　　　　　０．２ｇ
ヘプタン酸ステアリル（６７％）／オクタン酸ステアリル（３３％）（ステアリネリーズデュポイス社のデュブ　ソリド）
　　　　　　　　　　　　　　　　　　　　　　　　　　　　　　　１．９ｇ
ノーベルカスコ社から、登録商標エクスパンセル　５５１　ＤＥ　２０を付して販売されている、イツブタンを含有する塩化ビニリデン／アクリロニトリルのコポリマーの膨張したミクロスフェア
　　　　　　　　　　　　　　　　　　　　　　　　　　　　　　０．０５ｇ
香料、染料　　　　　　　　　　　　　　　　　　　　　　　　　　　　　適量
脱塩水　　　　　　　　　　　　　　　　　　　　　　全体を１００ｇとする量
と、（ｉｉ）３．５ｇの、イソペンタン（７５重量％）／イソブタン（２５重量％）からなる遅起泡剤を、二重容器のエアゾール装置の中央部に入れた。
　　　【００５０】
　中央部を閉じた。ついで、エルフ　アクイタイン（Ｅｌｆ　Ａｑｕｉｔａｉｎｅ）社からエアロガス（Ａｅｒｏｇａｚ）３．２Ｎの名称で販売されている、イソブタン（５５％）、ブタン（２２％）およびプロパン（２３％）の混合物（重量）からなる噴霧剤を４〜１０ｇ、底部開口を介して、二重容器の下部に入れて、上述の得られた混合物を加圧し「ジュース」を得た。
　　　【００５１】
　ついで、くびれ加工してエアゾールを使用可能状態とした。これを作用させると、泡の小蓄積部を生じさせることなく、顔の皮膚上に容易に均一に拡がり、手の上で安定したままで残る程の堅さであるレオロジーのゲルを手に移送した。皮
膚上での展伸の機械的作用下において、ゲルは素早く発泡し、適用時に柔軟で、
滑らかで均一であり、皮膚に粘着感を付与せず、流れ落ちもしなかった。ひげ剃
り後、皮膚は滑らかで柔らかかった。
　　　【００５２】
実施例２
　以下の組成のシェービングクリームを調製した：
ステアリン酸（Ｃ１６／Ｃ１８　５０／５０）　　　　　　　　２．７５ｇ
トリエタノールアミン　　　　　　　　　　　　　　　　　　　０．４５ｇ
グリセロール　　　　　　　　　　　　　　　　　　　　　　　５ｇ
Ｉ．Ｃ．Ｉ社からアルラセル（Ａｒｌａｃｅｌ）１６５の名称で販売されているポリエチレングリコール１００ステアラートとステアリン酸グリセリル　　　　　　　　５ｇ
ステアリルアルコール　　　　　　　　　　　　　　　　　　　５ｇ
ヘプタン酸ステアリル（６７％）／オクタン酸ステアリル（３３％）（ステアリネリーズデュボイス社のデュブ　ソリド）　　　　　　　　　　　　　　　　　　　５ｇ
ノーベルカスコ社から、登録商標エクスパンセル　５５１　ＤＥを付して販売されている、イソブタンを含有する塩化ビニリデン／アクリロニトリル／メタクリル酸メチルのコポリマーの膨張したミクロスフェア　　　　　　　　　　　　　　　　　　　　　　　　０．１ｇ
アルミナ／ステアリン酸アルミニウムで処理された酸化チタン　１ｇ
Ｃ１２／Ｃ１５のアルコール類のベンゾアート　　　　　　　　８ｇ
安定化剤：ヘキサデシルリン酸ナトリウム　　　　　　　　　　１ｇ
α−ビサボロール（Ｂｉｓａｂｏｌｏｌ）　　　　　　　　　　０．１ｇ
香料、防腐剤　　　　　　　　　　　　　　　　　　　　　　　　　　　適量
脱塩水　　　　　　　　　　　　　　　　　　　　　全体を１００ｇとする量
　　　【００５３】
　クリームの化粧品特性は、実施例１のゲルに匹敵するものであった。
　　　【００５４】
実施例３
　シェービングフォームを以下の方法で調製した：
（ｉ）９６ｇの以下の組成物：
ステアリン酸（Ｃ１６／Ｃ１８　５０／５０）　　　　　　　　７．９ｇ
トリエタノールアミン　　　　　　　　　　　　　　　　　　　２．９ｇ
グリセロール　　　　　　　　　　　　　　　　　　　　　　　２．５ｇ
ココナッツの脂肪酸　　　　　　　　　　　　　　　　　　　　０．６ｇ
ＫＯＨの５０％水溶液　　　　　　　　　　　　　　　　　　　０．４ｇＡＭ★
ヘプタン酸ステアリル（６７％）／オクタン酸ステアリル（３３％）（ステアリネリーズデュボイス社のデュブ　ソリド）
　　　　　　　　　　　　　　　　　　　　　　　　　　　　　０．５ｇ
ノーベルカスコ社から、登録商標エクスパンセル　５５１　ＤＥ　２０を付して販売されている、イ
ソブタンを含有する塩化ビニリデン／アクリロニトリル／メタクリル酸メチルのコポリマーの膨張したミクロスフェア
　　　　　　　　　　　　　　　　　　　　　　　　　　　　　０．３ｇ
２０モルのエチレンオキシドを含有するモノラウリン酸ソルビタン
　　　　　　　　　　　　　　　　　　　　　　　　　　　　　０．９６ｇ
カチオン性のポリマー［メルク（Ｍｅｒｃｋ）社からメルクアット（Ｍｅｒｑｕａｔ）Ｓの商品名で販売されている、８％の活性物質を含有する、ジメチルジアリルアンモニウム＝クロリド／アクリルアミド５０／５０のコポリマーの水溶液］
　　　　　　　　　　　　　　　　　　　　　　　　　　　　　０．２３ｇＡＭ★
イソプロパノールアミン＝ココアートとラノアートの混合物の４７％水溶液
　　　　　　　　　　　　　　　　　　　　　　　　　　　　　０．９ｇＡＭ★
香料、防腐剤　　　　　　　　　　　　　　　　　　　　　　　　　　　適量
脱塩水　　　　　　　　　　　　　　　　　　　　　全体を１００ｇとする量
★ＡＭは活性物質を示す
を、首部からエアゾール缶に入れた。
　　　【００５５】
　バルブを配し、缶にくびれ加工を施した後、エルフアクイタイン社からエアロガス３．２Ｎの名称で販売されている、イソブタン（５５％）、ブタン（２２％）およびプロパン（２３％）の混合物（重量）からなる噴霧剤を４ｇ、バルブを介して入れた。
　　　【００５６】
　シェービングフォームの化粧品特性は、実施例１のゲルに匹敵するものであった。
　　　【００５７】
実施例４
　以下の組成の脱臭スティックを調製した：
１４モルのプロピレンオキシドを含有するブチルアルコール　１５ｇ
パノレミチン酸イソプロピル　　　　　　　　　　　　　　　　５ｇ
ヘプタン酸ステアリル（６７％）／オクタン酸ステアリル（３３％）（ステアリネリーズデュボイス社のデュブソリド）
　　　　　　　　　　　　　　　　　　　　　　　　　　　　　４ｇ
ステアリルアルコール　　　　　　　　　　　　　　　　　　１９ｇ
硬化ヒマシ油　　　　　　　　　　　　　　　　　　　　　　　２ｇ
ミクロサイズに粉砕された無水塩酸アルミニウム
　　　　　　　　　　　　　　　　　　　　　　　　　　　　１５ｇ
タルク（ケイ酸マグネシウム）　　　　　　　　　　　　　　　２ｇ
ノーベルカスコ社から、登録商標エクスパンセル　５５１　ＤＥ　２０を付して販売されている、イソブタンを含有する塩化ビニリデン／アクリロニトリル／メタクリル酸メチルのコポリマーの膨張したミクロスフェア
　　　　　　　　　　　　　　　　　　　　　　　　　　　０．７ｇ
防腐剤、香料　　　　　　　　　　　　　　　　　　　　　　　　適量
シリコーン油：ダウ　コーニング（Ｄｏｗ　Ｃｏｒｎｉｎｇ）社のＤ．Ｃ．３４５フルイド（Ｆｌｕｉｄ）
　　　　　　　　　　　　　　　　　　　　　全体を１００ｇとする量
　　　【００５８】
　このスティックは、皮膚を柔軟にし、粘着感を付与しなかった。